(57)【要約】      （修正有）【課題】ローダー補強板に放熱効果と電波対策効果を持たせ、従来必要であった放熱板と電波対策部品のシールド板を必要とせず、部品点数を削減できてコストダウンを図れる。【解決手段】筐体１内にローダー２とローダー補強板３とローダーの側部のＡＶ基板４とＡＶ基板に実装された電界効果トランジスタ５とＡＶ基板の上側のメイン基板６を有し、ローダー補強板は熱伝導性の金属から形成されローダー補強板の側部を垂下して延設し、ローダー補強板の垂下部３ａを電界効果トランジスタに接触させてローダー補強板の垂下部にＡＶ基板に接続されたワイヤー７のワッシャ状プラグ８を接触させ、ローダー補強板の垂下部に電界効果トランジスタとワイヤーのワッシャ状プラグをネジ９で共締めし、電界効果トランジスタからの発熱をローダー補強板で放熱し、ＡＶ基板からの電波をワイヤーからローダー補強板に逃がしてローダー補強板に放熱効果と電波対策効果を持たせる。【選択図】図１
2007213690.tif 000002
【特許請求の範囲】
【請求項１】
筐体内にローダーとローダー補強板と前記ローダーの側部に配置されたＡＶ基板とこのＡＶ基板に実装された電界効果トランジスタと前記ＡＶ基板の上側に配置されたメイン基板とを有するＤＶＤプレーヤーにおいて、前記ローダー補強板は熱伝導性のある金属から形成され、このローダー補強板の側部を下向きに垂下して延設し、このローダー補強板の垂下部を前記電界効果トランジスタに接触させると共に、前記ローダー補強板の垂下部に前記ＡＶ基板に接続されたワイヤーのワッシャ状プラグを接触させ、前記ローダー補強板の垂下部に前記電界効果トランジスタと前記ワイヤーのワッシャ状プラグをネジ止めにより共締めして、前記電界効果トランジスタからの発熱を前記ローダー補強板で放熱すると共に、前記ＡＶ基板からの電波を前記ワイヤーから前記ローダー補強板に逃がすことにより、前記ローダー補強板に放熱効果と電波対策効果を持たせるように構成したことを特徴とするＤＶＤプレーヤー。
【請求項２】
筐体内にローダーとローダー補強板と前記ローダーの側部に配置されたＡＶ基板とこのＡＶ基板に実装された電界効果トランジスタと前記ＡＶ基板の上側に配置されたメイン基板とを有するＤＶＤプレーヤーにおいて、前記ローダー補強板は熱伝導性のある金属から形成され、このローダー補強板の側部を下向きに垂下して延設し、このローダー補強板の垂下部を前記電界効果トランジスタに接触させてネジ止めすると共に、前記ローダー補強板の垂下部に前記ＡＶ基板に接続されたワイヤーのワッシャ状プラグを接触させてネジ止めすることにより、前記電界効果トランジスタからの発熱を前記ローダー補強板で放熱すると共に、前記ＡＶ基板からの電波を前記ワイヤーから前記ローダー補強板に逃がすことにより、前記ローダー補強板に放熱効果と電波対策効果を持たせるように構成したことを特徴とするＤＶＤプレーヤー。
【発明の詳細な説明】
【技術分野】
【０００１】
本発明は、筐体内にローダーとローダー補強板と前記ローダーの側部に配置されたＡＶ基板とこのＡＶ基板に実装された電界効果トランジスタと前記ＡＶ基板の上側に配置されたメイン基板とを有するＤＶＤプレーヤーに関するものである。
【背景技術】
【０００２】
従来、この種のＤＶＤプレーヤーは、図３に示すように、ＡＶ基板１０１に実装された電界効果トランジスタ１０２に放熱板１０３を取付けて、電界効果トランジスタ１０２からの発熱を放熱板１０３で放熱して放熱効果を持たし、ＡＶ基板１０１に取付けられたワイヤー１０４の先端のワッシャ状プラグ１０５をメイン基板１０６に接続して、ＡＶ基板１０１からの電波をワイヤー１０４を介してメイン基板１０６に逃がし、更にこの電波を電波対策シールド板（図示略）に逃がして電波対策効果を持たせていた。
【０００３】
ところが、この従来のＤＶＤプレーヤーにおいては、放熱板１０３と電波対策シールド板（図示略）とを必要としていたために、部品点数が多くてコスト高になるという問題があった。
【０００４】
第１の従来技術を図４、図５に示す。この従来の電磁妨害シールドは、図４、図５に示すように、実質的平面領域を有する導電性材料からなる熱拡散プレート２００と、多層電磁妨害シールド材料から形成され、絶縁層２４０を有する内部面と導電層２４５を有する外部面とを有する容器２２０とを有し、容器２２０は容器２２０の導電層２４５に電気的に結合された接地タブ２２５を有し、これにより、容器２２０の接地タブ２２５を熱拡散プレート２００の表面に機械的に接触させることによって容器２２０は熱拡散プレート２００と電気的に結合されるようにしたものである。（例えば、特許文献１参照）。
【０００５】
ところが、これにおいては、熱拡散プレート２００は放熱効果だけを有し、電波対策効果を有するものではなかった。
【０００６】
第２の従来技術を図６、図７に示す。この従来のビデオカメラは、図６、図７に示すように、筐体３０２、３０３、３０４、３０５内に並設された複数のプリント基板３１４、３１５、３１６、３１７と、筐体３０２、３０３、３０４、３０５を補強するためのステーを有するビデオカメラにおいて、ステー３０９が、金属製で平板部３２７と、平板部３２７の一面に間隙を有して突設された複数のフィン部３２８、３２９、３３０とからいったい成形され、ステー３０９の複数のフィン部３２８、３２９、３３０がそれぞれ複数のプリント基板３１４、３１５、３１６、３１７の間に挿入され、複数のプリント基板と対向するように配置されてなるビデオカメラ３０１とした。（例えば、特許文献２参照）。
【０００７】
ところが、これにおいては、複数のフィン部３２８、３２９、３３０は放熱効果を有するものではあるが、電波対策効果を有するものではなかった。
【特許文献１】特開２０００−１３７５４８号公報
【特許文献２】特開２００１−２２３９２５号公報
【発明の開示】
【発明が解決しようとする課題】
【０００８】
本発明は上記従来の問題に鑑みてなされたものであって、ローダー補強板に放熱効果と電波対策効果を持たせることによって、従来必要としていた放熱板と電波対策部品であるシールド板を必要とせずに、部品点数を削減することができてコストダウンを図ることができるＤＶＤプレーヤーを提供することを目的としている。
【課題を解決するための手段】
【０００９】
本発明は、上記課題を解決するために提案されたものであって、請求項１に記載の発明は、筐体内にローダーとローダー補強板と前記ローダーの側部に配置されたＡＶ基板とこのＡＶ基板に実装された電界効果トランジスタと前記ＡＶ基板の上側に配置されたメイン基板とを有するＤＶＤプレーヤーにおいて、前記ローダー補強板は熱伝導性のある金属から形成され、このローダー補強板の側部を下向きに垂下して延設し、このローダー補強板の垂下部を前記電界効果トランジスタに接触させると共に、前記ローダー補強板の垂下部に前記ＡＶ基板に接続されたワイヤーのワッシャ状プラグを接触させ、前記ローダー補強板の垂下部に前記電界効果トランジスタと前記ワイヤーのワッシャ状プラグをネジ止めにより共締めして、前記電界効果トランジスタからの発熱を前記ローダー補強板で放熱すると共に、前記ＡＶ基板からの電波を前記ワイヤーから前記ローダー補強板に逃がすことにより、前記ローダー補強板に放熱効果と電波対策効果を持たせるように構成したことを特徴としている。
【００１０】
請求項２に記載の発明は、筐体内にローダーとローダー補強板と前記ローダーの側部に配置されたＡＶ基板とこのＡＶ基板に実装された電界効果トランジスタと前記ＡＶ基板の上側に配置されたメイン基板とを有するＤＶＤプレーヤーにおいて、前記ローダー補強板は熱伝導性のある金属から形成され、このローダー補強板の側部を下向きに垂下して延設し、このローダー補強板の垂下部を前記電界効果トランジスタに接触させてネジ止めすると共に、前記ローダー補強板の垂下部に前記ＡＶ基板に接続されたワイヤーのワッシャ状プラグを接触させてネジ止めすることにより、前記電界効果トランジスタからの発熱を前記ローダー補強板で放熱すると共に、前記ＡＶ基板からの電波を前記ワイヤーから前記ローダー補強板に逃がすことにより、前記ローダー補強板に放熱効果と電波対策効果を持たせるように構成したことを特徴としている。
【発明の効果】
【００１１】
請求項１に記載の発明によれば、ローダー補強板によって、電界効果トランジスタからの発熱を放熱すると共に、ＡＶ基板からの電波をワイヤーを介して逃がすことにより、ローダー補強板に放熱効果と電波対策効果を持たせることができるから、従来使用されていた放熱板と電波対策部品のシールド板が必要でなく、部品点数を削減することができてコストダウンを図ることができる。また、ローダー補強板に電界効果トランジスタとワイヤーのワッシャ状プラグを１本のネジで共締めするから、ネジの本数を少なくすることができて、更にコストダウンを図ることができる。
【００１２】
請求項２に記載の発明によれば、ローダー補強板によって、電界効果トランジスタからの発熱を放熱すると共に、ＡＶ基板からの電波をワイヤーを介して逃がすことにより、ローダー補強板に放熱効果と電波対策効果を持たせることができるから、従来使用されていた放熱板と電波対策部品のシールド板が必要でなく、部品点数を削減することができてコストダウンを図ることができる。
【発明を実施するための最良の形態】
【００１３】
以下、本発明に係るＤＶＤプレーヤーの実施の形態を、図を参照しつつ説明する。
【００１４】
図１は本発明の第１実施形態のＤＶＤプレーヤーを示し、（ａ）はその部分断面正面図、（ｂ）はワイヤーとワッシャ状プラグの平面図である。
【００１５】
この第１実施形態のＤＶＤプレーヤーは、図１（ａ）に示すように、筐体１内にローダー２とローダー補強板３とローダー２の右側部に配置されたＡＶ基板４とこのＡＶ基板４に実装された電界効果トランジスタ５とＡＶ基板４の上側に配置されたメイン基板６とが配置されている。ローダー補強板３は熱伝導性のある金属から形成され、その側部を下向きに垂下して延設し、このローダー補強板３の垂下部３ａを電界効果トランジスタ５に接触させると共に、ローダー補強板３の垂下部３ａにＡＶ基板４に接続されたワイヤー７のワッシャ状プラグ８〔図１（ｂ）参照〕を接触させ、ローダー補強板３の垂下部３ａに電界効果トランジスタ５とワイヤー７のワッシャ状プラグ８をネジ９で共締めしている。尚、図中符号１０は筐体１の底面から上向きに立設されたボスであり、符号１１はメイン基板６とローダー２とを接続するフレキシブルフラットケーブルである。
【００１６】
この構成により、電界効果トランジスタ５からの発熱をローダー補強板３で放熱すると共に、ＡＶ基板４からの電波をワイヤー７からローダー補強板３に逃がすようにしている。このことにより、ローダー補強板３に放熱効果と電波対策効果を持たせるようにしている。
【００１７】
この第１実施形態によれば、ローダー補強板３によって、電界効果トランジスタ５からの発熱を放熱すると共に、ＡＶ基板４からの電波をワイヤー７を介して逃がすことにより、ローダー補強板３に放熱効果と電波対策効果を持たせることができるから、従来使用されていた放熱板と電波対策部品のシールド板が必要でなく、部品点数を削減することができてコストダウンを図ることができる。また、ローダー補強板３に電界効果トランジスタ５とワイヤー７のワッシャ状プラグ８を１本のネジ９で共締めするから、ネジ９の本数を少なくすることができて、更にコストダウンを図ることができる。
【００１８】
図２は第２実施形態のＤＶＤプレーヤーの部分断面正面図である。尚、上記した第１実施形態と同一部材、同一箇所については、同一符号を付してその説明を省略する。
【００１９】
この第２実施形態のＤＶＤプレーヤーは、図２に示すように、ローダー補強板３の垂下部３ａの下側部分を電界効果トランジスタ５に接触させてネジ９で取り付け、ローダー補強板３の垂下部３ａの上側寄り部分にＡＶ基板４に接続されたワイヤー７のワッシャ状プラグ８を別のネジ９で取付けている。
【００２０】
この第２実施形態によれば、ローダー補強板３によって、電界効果トランジスタ５からの発熱を放熱すると共に、ＡＶ基板４からの電波をワイヤー７を介して逃がすことにより、ローダー補強板３に放熱効果と電波対策効果を持たせることができるから、従来使用されていた放熱板と電波対策部品のシールド板が必要でなく、部品点数を削減することができてコストダウンを図ることができる。
【図面の簡単な説明】
【００２１】
【図１】本発明の第１実施形態のＤＶＤプレーヤーを示し、（ａ）はその部分断面正面図、（ｂ）はワイヤーとワッシャ状プラグの平面図である。
【図２】第２実施形態のＤＶＤプレーヤーの部分断面正面図である。
【図３】従来のＤＶＤプレーヤーの部分断面正面図である。
【図４】図２の従来の電磁妨害シールド、マザーボード及びヒートシンクの分解斜視図である。
【図５】図４の組み立て後の部分断面側面図である。
【図６】従来のビデオカメラの分解斜視図である。
【図７】従来のビデオカメラの正面断面図である。
【符号の説明】
【００２２】
１          筐体
２          ローダー
３          ローダー補強板
３ａ        垂下部
４          ＡＶ基板
５          電界効果トランジスタ
６          メイン基板
７          ワイヤー
８          ワッシャ状プラグ
９          ネジ
１０        ボス
１１        フレキシブルフラットケーブル
【図１】
2007213690.tif 000003
【図２】
2007213690.tif 000004
【図３】
2007213690.tif 000005
【図４】
2007213690.tif 000006
【図５】
2007213690.tif 000007
【図６】
2007213690.tif 000008
【図７】
2007213690.tif 000009